(57)【要約】【課題】プレイヤーの脳波情報を取得し、プレイヤーの脳波パターンに応じて、運動意欲の向上や運動効果の向上を図れるゲーム環境に可変できる、介護予防のためのゴルフゲームシステムを提供する。【解決手段】ゴルフゲームに使用するボール10およびクラブ20と、クラブ20に装着されスイング時のクラブの動きを測定する加速度センサ30と、プレイヤーに装着されプレイヤーの脳波を測定する脳波センサ40と、加速度センサ30からの信号を受信しクラブの動きに連動した映像を生成するゲーム用コンピュータ100と、モニター50と、ネット60を備え、コンピュータ100は、プレイヤーの脳波パターン情報に対応して可変可能な複数のゲーム環境要素を備え、プレイヤーの脳波センサ40から送信される脳波信号から脳波パターン情報を演算して、演算した脳波パターン情報を基準となる脳波パターン情報と比較し、比較結果に基づきゲーム環境要素を維持または変更し、出力する。【選択図】図１
2018201769.tif 000002
【特許請求の範囲】
【請求項１】
ゴルフゲームに使用する大きさおよび重さのボールと、ゴルフゲームに使用する大きさおよび重さのクラブと、クラブに装着されてスイング時のクラブの動きを測定する加速度センサと、プレイヤーに装着されてプレイヤーの脳波を測定する脳波センサと、前記加速度センサからの信号を受信して前記クラブの動きに連動した映像を生成するゲーム用コンピュータと、前記生成された映像が表示されるモニターと、打球されたボールを受け止めるネットを備えてなり、
前記ゲーム用コンピュータは、プレイヤーの脳波パターン情報に対応して可変可能な複数のゲーム環境要素を備え、プレイヤーの脳波センサから送信された脳波信号から脳波パターン情報を演算すると共に、演算した脳波パターン情報を基準となる脳波パターン情報と比較し、比較結果に基づき一または複数のゲーム環境要素を維持または変更し、維持または変更されたゲーム環境要素を出力することを特徴とするゴルフゲームシステム。
【請求項２】
前記脳波パターン情報は、ゲームのプレイ中および／またはプレイの前に、脳波センサから送信された脳波信号のうち、一定のタイミングで取得されたベータ波とアルファ波から演算されるベータ波の出現率により定義されることを特徴とする請求項１記載のゴルフゲームシステム。
【請求項３】
基準となる脳波パターン情報を得るにあたり、個々のプレイヤー毎にゲームを複数回行い、各回の脳波パターン情報と各回のプレイヤーの心身状態を評価し、心身状態の評価が最も高い回の脳波パターン情報を基準となる脳波パターン情報として定義することを特徴とする請求項１又は請求項２記載のゴルフゲームシステム。
【請求項４】
プレイヤーの心身状態を評価するにあたり、各回のゲームのプレイ後に実施したＧＤＳ評価情報を用いることを特徴とする請求項３に記載のゴルフゲームシステム。
【請求項５】
ゲーム環境要素が、仮想プレイヤー巧拙度、ＢＧＭ、効果音、声掛け、背景映像から選択される一または複数の要素の組合せからなることを特徴とする請求項１ないし請求項４のいずれか一項に記載のゴルフゲームシステム。
【発明の詳細な説明】
【技術分野】
【０００１】
本発明は、介護予防のためのゴルフゲームシステムであって、特にゴルフのコンピュータゲームと実運動を組み合わせたゴルフゲームシステムに関する。
【背景技術】
【０００２】
２０２０年において、介護予防を必要とする高齢者は３６１２万人（厚生労働省人口動態統計より）に達すると予想され、国の財政を圧迫する介護福祉費の削減のためにも、介護予防の実施は喫緊の課題である。その一方で、運動意欲の向上が見込めるアクティブシニア層は年々増加している。
【０００３】
かかる背景より、モーションセンサを備えるゲーム機を利用して、ゲーム中のユーザの運動量と生理学的データを測定し、コンピュータネットワークで管理・解析を行い、その結果を電子メッセージでユーザに伝えるヘルスケアシステム（特許文献１）が知られている。同ヘルスケアシステムによると、前記モーションセンサとして、加速度センサ・ジャイロセンサ・振動センサの少なくとも一つ以上を利用し、当該モーションセンサの出力信号に基づく計測値を健康管理サーバに送信し、解析の結果として、例えば運動のモチベーションを上げるような電子メッセージをユーザに伝えることができる。また、モーションセンサを備えたワイヤレスのコントローラを操作して仮想ゲーム空間内のゴルフクラブを動作（ゴルフスイング）させるゲーム装置（特許文献２）も知られている。同ゲーム装置によると、実際のゴルフスイングを仮想的に体感することができる。さらに、バイク型の運動装備を備え、ゲーム中に運動をしながら、利用者の体力健康情報（心拍数、呼吸量、血圧、体重、血中飽和酸素量、運動量、運動速度など）を測定し、評価する自動体力評価運動システム（特許文献３）も知られている。同運動システムによると、ゲームに変化を持たせることにより、使用者が飽きずに持続的な興味を持って運動を継続することができる。
【先行技術文献】
【特許文献】
【０００４】
【特許文献１】特開２００８−３１０６０６号公報
【特許文献２】特開２０１０−２４６６１３号公報
【特許文献３】特表２００４−５３２６９９号公報
【発明の概要】
【発明が解決しようとする課題】
【０００５】
しかしながら、介護予防対象者を対象に、発明者らが運動プログラム（ゲーム）を用いた運動効果を評価分析する研究を行ったところ、各運動者の脳波状態と運動意欲（「やる気」）との間に相関関係がみられることが分かった。そこで、発明者らが鋭意研究を進めたところ、ゲーム環境を、個々の運動者の脳波が「やる気」との関連性が高い脳波に近付く環境に整えることで、介護予防対象者の運動意欲を個々に高められることを見出し、本発明を完成させるに至った。上記従来の特許文献１〜３は、モーションセンサを用いて実際の運動を疑似体験できたり、使用者が飽きずに運動を続けられる工夫がなされ、運動意欲の向上につながるものであるが、個々の運動者の脳波に着目し、脳波との関係で個々にゲーム環境や運動環境を最適化するものではない。
【０００６】
本発明は上記課題に鑑みてなされたもので、プレイヤーの脳波情報を取得し、プレイヤーの脳波パターンに応じて、運動意欲の向上や運動効果の向上を図れるゲーム環境に可変できる、介護予防のためのゴルフゲームシステムを提供することを目的とする。
【課題を解決するための手段】
【０００７】
上記課題を解決するために、本発明に係るゴルフゲームシステムは、
ゴルフゲームに使用する大きさおよび重さのボールと、ゴルフゲームに使用する大きさおよび重さのクラブと、クラブに装着されてスイング時のクラブの動きを測定する加速度センサと、プレイヤーに装着されてプレイヤーの脳波を測定する脳波センサと、前記加速度センサからの信号を受信して前記クラブの動きに連動した映像を生成するゲーム用コンピュータと、前記生成された映像が表示されるモニターと、打球されたボールを受け止めるネットを備えてなり、
前記ゲーム用コンピュータは、プレイヤーの脳波パターン情報に対応して可変可能な複数のゲーム環境要素を備え、プレイヤーの脳波センサから送信された脳波信号から脳波パターン情報を演算すると共に、演算した脳波パターン情報を基準となる脳波パターン情報と比較し、比較結果に基づき一または複数のゲーム環境要素を維持または変更し、維持または変更されたゲーム環境要素を出力することを主要な特徴とする。
【０００８】
本発明に係るゴルフゲームシステムは、前記脳波パターン情報が、ゲームのプレイ中および／またはプレイの前に、脳波センサから送信された脳波信号のうち、一定のタイミングで取得されたベータ波とアルファ波から演算されるベータ波の出現率により定義されることを第２の特徴とする。
【０００９】
本発明に係るゴルフゲームシステムは、基準となる脳波パターン情報を得るにあたり、個々のプレイヤー毎にゲームを複数回行い、各回の脳波パターン情報と各回のプレイヤーの心身状態を評価し、心身状態の評価が最も高い回の脳波パターン情報を基準となる脳波パターン情報として定義することを第３の特徴とする。
【００１０】
本発明に係るゴルフゲームシステムは、プレイヤーの心身状態を評価するにあたり、各回のゲームのプレイ後に実施したＧＤＳ評価情報を用いることを第４の特徴とする。
【００１１】
本発明に係るゴルフゲームシステムは、ゲーム環境要素が、仮想プレイヤー巧拙度、ＢＧＭ、効果音、声掛け、背景映像から選択される一または複数の要素の組合せからなることを第５の特徴とする。
【発明の効果】
【００１２】
以上説明したように、本発明によれば、プレイヤーの脳波信号を取得して、プレイヤーの脳波パターンに対応したゲーム環境に可変することによって、プレイヤーがやる気の出ない状態にあるときは運動意欲が高まるゲーム環境に、プレイヤーが過度に緊張状態にあるときは緊張をほぐしてリラックスできるゲーム環境に、それぞれ最適化することができ、個々のプレイヤー、すなわちシニア層や要介護対象者の運動意欲の向上と運動効果の向上を図ることができる。
【００１３】
また、本発明によると、ゴルフゲームは複数人で行うことができ、コンピュータゲームがもつ楽しさと参加者が同じ目的を持つことにより、参加者同士のコミュニケーションを円滑に図り、参加意欲の向上を図ることができる。特に実運動を組み合わせたことにより、プレイヤーの末梢神経への刺激を図り、脳の活性化と身体機能の向上を図ることができる。
【図面の簡単な説明】
【００１４】
【図１】本発明に係るゴルフゲームシステムの全体構成図、
【図２】図１のゴルフゲームシステムに用いられるクラブの側面図、
【図３】図１のゴルフゲームシステムに用いられるゲーム用コンピュータの構成図、
【図４】図３のゲーム用コンピュータに格納されたデータベース部の例、
【図５】図４のデータベース部に格納されたゲーム環境要素データベースの例、
【図６】プレイヤーのプレイ手順を示すフロー図である。
【発明を実施するための最良の形態】
【００１５】
本発明を実施するための一実施形態を、図面を参照しながら説明する。図１において、符号Ｓは本発明に係るゴルフゲームシステムを示している。
【００１６】
まず、ゴルフゲームシステムＳについて説明すると、本実施形態において、ゴルフゲームシステムＳは、図１に示すように、ボール１０と、クラブ２０と、加速度センサ３０と、脳波センサ４０と、ゲーム用コンピュータ（ゲーム用ＰＣ）１００と、モニター５０と、ネット６０と、スピーカー７０を備えている。ゲーム用ＰＣ１００は、加速度センサ３０と脳波センサ４０に対し無線アクセス８１により、モニター５０に対しケーブル８２により接続されている。
【００１７】
ボール１０は、一例としてグラウンドゴルフで使用される大きさ（直径６ｃｍ±１ｍｍ）および重さ（７５ｇ以上９５ｇ以下）を持ち、木製または樹脂製の実球が使用される。クラブ２０は、グラウンドゴルフで使用される大きさ（全長５０ｃｍ以上１００ｍｍ以下）および重さ（５００ｇ〜７５０ｇ程度）を持つ木製などの打具で、図２に示すように、プレイヤーが両手で把持するグリップ部２１とボール１０を打球するヘッド部２２を備えている。ボール１０はマット９０に置いてネット６０に向けて打球する。
【００１８】
加速度センサ３０は、プレイヤーによるスイング時のクラブ２０の動きを測定するもので、図２に示すように、グリップ部２１とヘッド部２２に取り付けられている。同加速度センサ３０は、プレイヤーによるスイング時にクラブ２０に生じる３軸方向の加速度を測定し、測定された信号は、無線アクセス８１を通じてゲーム用ＰＣ１００に送信される。グリップ部２１およびヘッド部２２に取り付けられた加速度センサ３０により、スイング時のクラブ２０の運動量と運動ベクトルをゲーム用ＰＣ１００が演算し、モニター５０にクラブおよびボールの運動軌跡を表示させることができる。なお、図示しないが加速度センサ３０の近傍に加圧センサを取り付け、スイング時にボール１０の打球時も含めクラブ２０に生じる加圧力を測定し、これによりプレイヤーの末梢神経に対する衝撃量を演算することができる。
【００１９】
脳波センサ４０は、ゲームのプレイ前、プレイ中におけるプレイヤーの脳波（アルファ波、ベータ波、シータ波など）を常時または一定のタイミングで測定するもので、図１に示すように、プレイヤーＰの頭部にヘッドバンドを介して取り付けられる。脳波センサ４０で検出された信号は無線アクセス８１を通じてゲーム用ＰＣ１００に送信される。脳波センサ４０でプレイヤーの脳波信号を測定することにより、後述するように、ゲームのプレイ前、プレイ中におけるプレイヤーの脳波パターン情報を演算することができる。
【００２０】
モニター５０は、プレイヤーがシニア層でも見やすい大型サイズ（例えば５０インチ〜１００インチ）のものが使用され、プレイヤーによるクラブ２０のスイングに合わせて、加速度センサ３０からの信号に基づき、クラブ２０の動きにリニアに対応したスイング映像を出力表示することができる。スピーカー７０からはゲーム環境要素であるＢＧＭやＳＥ（効果音）、声掛けなどの音声を出力することができる。ネット６０は、マット９０から見てボール１０の打球方向に設置され、ネット６０の内奥面にボール１０を当てる的が設けられている。モニター５０はネット６０の上部にマット９０方向を向くように設置され、プレイヤーは、モニター５０に表示された映像を見ながら、クラブ２０を持って打球位置に立ち、マット９０の上に置いたボール１０を、前方のネット６０に向けて打球することができる。
【００２１】
ゲーム用ＰＣ１００は、図３に示すように、データベース部１１０と、演算処理部１２０と、脳波パターン比較部１３０と、ゲーム環境設定変更部１４０と、映像音声出力部１５０と、制御部１６０を備えている。
【００２２】
データベース部１１０は、図４に示すように、個人情報データベース１１１と、運動情報データベース１１２と、脳波情報データベース１１３と、ゲーム環境要素データベース１１４と、ゲームプログラムデータベース１１５を備えている。個人情報データベース１１１は、プレイヤーの個人情報（ＩＤ番号、氏名、年齢、性別、身長、体重、血液型、ゲーム成績、ＧＤＳ評価など）が格納される。運動情報データベース１１２は、個々のプレイヤーの運動情報が格納される。運動情報には、ゲームのプレイ中に加速度センサ３０や加圧センサから送信された信号（測定データ）、当該信号から演算される運動量、運動ベクトル、衝撃量などが含まれる。脳波情報データベース１１３は、個々のプレイヤーの脳波情報が格納される。脳波情報には、ゴルフゲームのプレイ中およびプレイ前後に各プレイヤーの脳波センサ４０から送信された脳波信号（アルファ波、ベータ波、シータ波など）、当該信号から演算される脳波パターン情報（ベータ波の出現率（ベータ波／アルファ波）Ｋｎ）（ｎ＝１、２・・・）、プレイヤー毎に設定される基準となる脳波パターン情報（ベータ波の基準出現率Ｋｇ（詳細は後述する））などが含まれる。プレイヤーに装着した生体センサから生体情報が送信される場合は当該生体情報（心拍数、血圧、体温など）も格納可能である。
【００２３】
ゲーム環境要素データベース１１４は、プレイヤーの脳波パターン情報に対応して可変可能な複数のゲーム環境要素が格納されている。図５にその例を示す。図５に示す例は、仮想プレイヤー巧拙度、ＢＧＭ、ＳＥ（効果音）、声掛けの４つの要素が設けられ、各要素は、例えば中央値（レベル２）を初期値に設定し、脳波パターン１（やる気が高い脳波パターン）のときは、各要素のレベルを変更せず、脳波パターン２（やる気が低い脳波パターン）のときは、各要素のレベルを上げ、脳波パターン３（やる気は高いが緊張度が過剰な脳波パターン）のときは、各要素のレベルを下げるように変更する。ここで、仮想プレイヤー巧拙度は、モニター５０に表示される仮想プレイヤーＶＰのプレイ時の巧拙度（上手さ、下手さ）を変更する要素で、レベルを上げると、仮想プレイヤーＶＰのスキル（巧さ、技術能力）が増し、やる気の低いプレイヤーがスイング後にモニター５０を見ると上手くなったと感じる。レベルを下げると、仮想プレイヤーＶＰのスキルが低下し、緊張度が過剰なプレイヤーがスイング後にモニター５０を見ると難しく感じるので冷静になれる。例えば、ゲームプログラムにより、スイートスポット（仮想プレイヤーＶＰが打球したボールがホールにカップインするエリア）を拡大縮小させると、仮想プレイヤーＶＰの巧拙度が可変する。ゲームプログラムデータベース１１５は、本システムでゴルフゲームを実施するためのプログラムが格納されている。
【００２４】
演算処理部１２０は、ゴルフゲームのプレイにおいて、プレイヤーによるクラブ２０のスイング時に、グリップ部２１とヘッド部２２の各加速度センサ３０からゲーム用ＰＣ１００に送信された３軸方向の加速度データに基づき、スイング時のクラブ２０の運動量、運動ベクトルを演算する。また、スイング時に図示しない加圧センサから加圧力データがゲーム用ＰＣ１００に送信されたときは、スイング時にボール１０への打球時を含めプレイヤーの末梢神経に伝達される衝撃量を演算する。さらに、ゴルフゲームのプレイ前、プレイ中において、プレイヤーの脳波センサ４０からゲーム用ＰＣ１００に送信された脳波信号（アルファ波、ベータ波、シータ波）に基づき、脳波パターン情報（後述するベータ波の出現率（ベータ波／アルファ波）Ｋｎ）を演算する。
【００２５】
脳波パターン比較部１３０は、ゴルフゲームのプレイ中、プレイの前に、脳波センサ４０から一定のタイミングで取得された脳波信号から演算される脳波パターン情報と、予め個々のプレイヤー毎に得られた基準となる脳波パターン情報を比較する。脳波パターン情報は、脳波センサ―４０から送信されるプレイヤーの脳波信号から演算されるベータ波の出現率を用いる。個人差はあるが一般にアルファ波が多いときはリラックス度が高く、ベータ波が多いときは緊張度や興奮度が高いとされている。「やる気」とベータ波の出現率には相関性があり、「やる気」が高いときはベータ波の出現率が高い。そこで、本実施形態では、予めプレイヤー毎にベータ波の出現率（ベータ波／アルファ波）を複数回求めておき、ＧＤＳ評価などで最もやる気が高いと判断される回のベータ波の出現率を基準出現率Ｋｇと定め、基準となる脳波パターン情報に用いる。ゴルフゲームのプレイ中、プレイの前に、脳波センサ４０から一定のタイミングで取得されたベータ波とアルファ波から演算される脳波パターン情報（ベータ波の出現率（ベータ波／アルファ波）Ｋｎ）と、基準となる脳波パターン情報（基準出現率Ｋｇ）を比較し、比較結果によって、ゲーム環境要素の設定値を維持または変更する（図５参照）。
【００２６】
ベータ波の基準出現率Ｋｇは、例えば、プレイヤー毎に、心拍数を測定し、平常範囲にある状態で、ゴルフゲーム（後述のステップＳ１〜Ｓ１２）を複数回プレイし、プレイ毎に脳波情報の取得とＧＤＳ（Ｇｅｒｉａｔｒｉｃ Ｄｅｐｒｅｓｓｉｏｎ  Ｓｃａｌｅ）評価を実施し、ＧＤＳ評価が最も良いとき（ＧＤＳ評価の合計点数が最も低いとき）のプレイ時の心身状態を「やる気」指数が高いレベルと認定し、当該プレイ時におけるベータ波の出現率（ベータ波／アルファ波）を基準出現率Ｋｇと定める。各回のベータ波の出現率（ガンマ波／アルファ波）は平均値、最高値、あるいはガンマ波とアルファ波の時間軸の出現パターンを使用してよい。
【００２７】
脳波パターン比較部１３０により、ゲームのプレイ中、プレイ前において、ベータ波の出現率Ｋｎが基準出現率Ｋｇと等しい（Ｋｎ＝Ｋｇ）とき（脳波パターン１）は心身状態が良好（「やる気」指数が高い）と判定でき、ベータ波の出現率Ｋｎが基準出現率Ｋｇよりも低い（Ｋｎ＜Ｋｇ）とき（脳波パターン２）は心身状態が良好でない（「やる気」指数が低い、元気がない、鬱傾向にあるなど）と判定できる。ベータ波の出現率Ｋｎが基準出現率Ｋｇよりも高い（Ｋｎ＞Ｋｇ）とき（脳波パターン３）は心身状態が過度のレベルにある（極度に緊張状態にある、ストレス状態にあるなど）と判定できる。なお、実情にあわせて、Ｋｇは、例えばＫｇ（１±α）と置き換えて一定の幅を持たせることができる。αは例えば０〜１５％から設定すればよい。
【００２８】
ベータ波の基準出現率Ｋｇは、一定期間（例えば１週間）、プレイヤーの脳波情報（アルファ波、ベータ波、シータ波など）を取得し、プレイヤーの心身状態を前記のＧＤＳ評価や他の方法（例えば、ＡＥＳ（Ａｐａｔｈｙ Ｅｖａｌｕｔｉｏｎ Ｓｃａｌｅ）評価、インタビュー、アンケートなど）で評価し、心身状態が良好のとき（例えば、精神リラックス・身体緊張のとき）のベータ波出現率（ベータ波／アルファ波）を基準出現率Ｋｇと定めてもよい。
【００２９】
ゲーム環境設定変更部１４０は、脳波パターン比較部１３０の比較結果に従って、図５に示すゴルフゲームの環境要素の設定を維持または変更する。図５の例では、中央値（レベル２）を初期値とし、脳波パターン比較部１３０の比較結果に従って、仮想プレイヤー巧拙度、ＢＧＭ（背景音楽）、ＳＥ（効果音）、声掛けの各要素について、脳波パターン１（Ｋｎ＝Ｋｇ）の場合は初期値を維持し、脳波パターン２（Ｋｎ＜Ｋｇ）の場合は各要素のレベルを上げ、脳波パターン３（Ｋｎ＞Ｋｇ）の場合は各要素のレベルを下げる。他の環境要素として、例えば背景映像を調整することもできる。
【００３０】
図５を参照すると、脳波パターン２（やる気が低い脳波パターン）の場合、仮想プレイヤー巧拙度は、一例としてモニター５０に表示される仮想プレイヤーＶＰの打球時のスイートスポットが拡大され、仮想プレイヤーの巧み度が上がり、実際のプレイヤーが上手くなったと感じる。また、ＢＧＭは一例として興奮度が高まる音楽に変更され、ＳＥは一例として喧騒度が増す効果音に変更される。これにより、プレイヤーのやる気が引き上げられるようなゲーム環境が作られる。さらに、一例として叱責度が増すような声掛けが発せられる。これに対し、脳波パターン３（やる気は高いが緊張度が過剰な脳波パターン）の場合、ＢＧＭは緊張をほぐしリラックス度が高まるような音楽に変更され、ＳＥはそのような音楽に合った効果音（例えば川のせせらぎ音や小鳥のさえずり音）に変更され、また、仮想プレイヤー巧拙度は一例として前記スイートスポットが縮小され、仮想プレイヤーＶＰのスキルが低下し、ＢＧＭやＳＥでリラックス度が高まったプレイヤーを冷静に保ち、これにより、プレイヤーの過度な緊張をほぐしながら、ゲームのやる気につながるようなゲーム環境が作られる。また、励まし度が増すような声掛けも発せられる。なお、脳波パターン３の場合、仮想プレイヤー巧拙度は初期値から変更しなくてもよい。仮想プレイヤー巧拙度はクラブ２０の加速度センサ３０からの信号から算出されるボール１０の打球方向（角度）と強さ（飛距離）に対するスイートスポットを調整することでもよい。
【００３１】
映像音声出力部１５０は、演算処理部１２０で演算されたクラブ２０の運動量、運動ベクトルと、ゲームプログラムデータベース１１５に格納されたゲームプログラムに基づき、プレイヤーのスイング動作に連動して生成されたゲーム映像をモニター５０に出力し、また、ゲーム環境設定変更部１４０で維持または変更されたゲーム環境要素（ＢＧＭ、ＳＥ、声掛け）をスピーカー７０に出力する。ゲーム環境設定変更部１４０で背景映像が調整されたときは当該映像が図示しないプロジェクターに出力され、周囲の壁面に投射される。制御部１６０は、データベース１１０〜映像音声出力部１５０の各部の実行処理と全体制御を行う。
【００３２】
次に、上記ゴルフゲームシステムＳの使用手順について、図６を参照しながら説明する。なお、以下に具体的に記述する条件や設定値は、本発明の実施の形態を説明するための一例であって、本発明はこれに限定されない。
【００３３】
まず、プレイヤーの動作について説明する。プレイヤーはヘッドバンドを利用して脳波センサ４０を自分の頭部に取り付け、待機する（座る）（ステップＳ１）。次に、自分の順番がきたら立ち上がり（ステップＳ２）、クラブ２０を手に持つ（ステップＳ３）。そして、ボール１０を打つ場所に移動する（ステップＳ４）。
【００３４】
続いて、プレイヤーはマット９０に置かれたボール１０に対しクラブ２０をかまえ（ステップＳ５）、モニター５０の画面を見て動作を確認する（ステップＳ６）。モニター５０の画面にはグラウンドゴルフのコースが表示され、コース上で、プレイヤーのスイング動作に連動するスイング動作を行うべく仮想プレイヤーＶＰがクラブをかまえている。プレイヤーは、マット９０上のボール１０を確認し（ステップＳ７）、バックスイングし（ステップＳ８）、前方のネット６０に向けてボール１０を打球する（ステップＳ９）。
【００３５】
続いて、プレイヤーはモニター５０の画面を見て、クラブ２０のスイング動作に連動してモニター５０の画面に表示されるボールの軌跡を確認し（ステップＳ１０）、ネット６０に向けて打球したボール１０を取りに行く（ステップＳ１１）。そして、ボール１０をマット９０上の打球位置に置き、クラブ２０を次のプレイヤーに渡す（ステップＳ１２）。
【００３６】
ゲーム管理者は、プレイヤーの上記ステップＳ１〜Ｓ１２のうち、ステップＳ２〜Ｓ６、ステップＳ８〜Ｓ９の各ステップで、プレイヤーの脳波信号を脳波センサ４０で取得し、ゲーム用ＰＣ１００に送信する。送信された脳波信号（アルファ波、ガンマ波、シータ波）は脳波情報データベース１１３に格納され、また、演算処理部１２０において、上記各ステップで送信された脳波信号に基づき、各ステップ毎に脳波パターン情報（ガンマ波の出現率Ｋ１）が演算される。続いて、脳波パターン比較部１３０において、上記各ステップで演算された脳波パターン情報（ガンマ波の出現率Ｋ１）が、プレイヤーの当該各ステップにおける基準となる脳波パターン情報（基準出現率Ｋｐ）と逐一比較され、比較結果に従い、図５に示すゴルフゲームの各環境要素（仮想プレイヤー巧拙度、ＢＧＭ、ＳＥ、声掛け）が維持または変更され、スピーカー７０からＢＧＭ、効果音、声掛けが流される。
【００３７】
これにより、例えばやる気の低いプレイヤーは、ゲームの難度が上がると同時にゲームのＢＧＭや効果音が興奮度の高まるような音楽や効果音に変更され、さらにやる気が出るような声掛けが発せられることによって、プレイのやる気が高まり、運動意欲を大きく向上させる。また、極度に緊張するプレイヤーは、ゲームの難度が下がると同時にゲームのＢＧＭや効果音がリラックス効果を高めるような音楽や効果音に変更され、さらに励まされるような声掛けが発せられることによって、プレイヤーの過度な緊張が解かれて、プレイのやる気につながり、運動意欲の向上につながる。
【００３８】
本実施形態のゴルフゲームシステムＳによると、次のような効果を期待できる。
【００３９】
（１）グラウンドゴルフのコンピュータゲームと実運動を組み合わせたゲームをアクティブシニア層に提供し、アクティブシニア層の運動意欲の向上と健康の維持促進、介護予防の促進を図ることができる。特にグラウンドゴルフは運動器具利用のトレーニングと異なり、自由な動作が可能であり、シニア層が楽しめて初心者でも簡単に始められる。また、室内でプレイできるので、天候（雨や雪など）や季節（暑い夏期や寒い冬期など）に左右されず、昼夜問わず、一年中楽しむことができる。
【００４０】
（２）グラウンドゴルフゲームは複数人でプレイすることができ、コンピュータゲームがもつ楽しさに加え、参加者が同じ目的（ゲームのスコアアップ）を持つことで、互いに刺激しあいながら個々の運動意欲の向上を図ることができ、また、初参加の参加者においても参加者同士のコミュニケーションを円滑に図ることができるので、参加意欲の向上を図ることができる。
【００４１】
（３）コンピュータゲームの視覚情報はプレイヤーの脳を刺激し、プレイヤーの脳波情報からプレイヤーのやる気が低いと判断されたときは、個々のプレイヤーのやる気を引き出せるようなゲーム環境に作られるので、各プレイヤーは運動意欲を常に持ちながら、ゴルフゲームを楽しむことができる。
【００４２】
（４）実運動を組み合わせているので、プレイヤーはボールの打球後、自らボールを拾いに行って戻る反復動作が加わり、筋肉への適度な刺激と適度な運動効果を得ることができる。
【００４３】
本実施形態ではグラウンドゴルフの例について説明したが、本発明のゲームシステムは、一般のゴルフやパットゴルフ、ミニゴルフなどに対しても広く応用可能である。本発明のゴルフゲームシステムは、介護施設やスポーツクラブなど、要介護対象者やアクティブシニア層を対象とする健康促進を目的とした施設に設置するのが好ましい。
【産業上の利用可能性】
【００４４】
本発明は、ゴルフのコンピュータゲームと実運動を組み合わせたゴルフゲームシステムとして利用可能である。
【符号の説明】
【００４５】
１０  ボール
２０  クラブ
２１  グリップ部
２２  ヘッド部
３０  加速度センサ
４０  脳波センサ
５０  モニター
６０  ネット
１００  ゲーム用ＰＣ（ゲーム用コンピュータ）
１１０  データベース部
１１１  個人情報データベース
１１２  運動情報データベース
１１３  脳波情報データベース
１１４  ゲーム環境要素データベース
１１５  ゲームプログラムデータベース
１２０  演算処理部
１３０  脳波パターン比較部
１４０  ゲーム環境設定変更部
１５０  映像音声出力部
１６０  制御部
Ｋｎ  ベータ波の出現率（脳波パターン情報）
Ｋｇ  ベータ波の基準出現率（基準となる脳波パターン情報）
Ｐ  プレイヤー
ＶＰ  仮想プレイヤー
【図１】
2018201769.tif 000003
【図２】
2018201769.tif 000004
【図３】
2018201769.tif 000005
【図４】
2018201769.tif 000006
【図５】
2018201769.tif 000007
【図６】
2018201769.tif 000008